【手続補正書】
【提出日】平成15年9月11日(2003.9.11)
【手続補正１】
【補正対象書類名】明細書
【補正対象項目名】発明の名称
【補正方法】変更
【補正の内容】
【発明の名称】祝儀・不祝儀受渡仲介方法とサーバ、祝儀・不祝儀リスト、並びに祝儀・不祝儀受渡仲介プログラムと当該プログラムを記録したコンピュータ読取可能な記録媒体


【手続補正２】
【補正対象書類名】明細書
【補正対象項目名】特許請求の範囲
【補正方法】変更
【補正の内容】
【特許請求の範囲】
【請求項１】
縁者から冠婚葬祭の開催者への祝儀・不祝儀の受渡を仲介するために用いるサーバであって、
上記開催者の銀行口座の番号を受付ける手段と、
上記縁者の氏名と上記祝儀・不祝儀の額とを受付ける手段と、
上記縁者からの祝儀・不祝儀が振込まれる上記開催者専用の受渡用の銀行口座から上記開催者の銀行口座に上記受付けた祝儀・不祝儀の額の振込を依頼する手段と、
上記開催者に提供される上記縁者の氏名と上記開催者の銀行口座に振込まれた祝儀・不祝儀の額とを掲載した祝儀・不祝儀リストを作成する手段、とを有してなることを特徴とする祝儀・不祝儀受渡仲介サーバ。
【請求項２】
受渡用の銀行口座の開設を依頼する手段をさらに有する請求項１記載の祝儀・不祝儀受渡仲介サーバ。
【請求項３】
受渡用の銀行口座に振込まれた縁者からの祝儀・不祝儀の額を確認する手段、をさらに有する請求項１または２記載の祝儀・不祝儀受渡仲介サーバ。
【請求項４】
祝儀・不祝儀リストは、開催者が祝儀・不祝儀返しを希望する縁者を選択することができるように構成されたＷｅｂページであって、
上記Ｗｅｂページで選択された縁者への祝儀・不祝儀返しの依頼を受付ける手段、をさらに有する請求項１乃至３のいずれかに記載の祝儀・不祝儀受渡仲介サーバ。
【請求項５】
サーバによる縁者から冠婚葬祭の開催者への祝儀・不祝儀の受渡を仲介する方法であって、
上記サーバが、上記開催者の銀行口座の番号を受付けるステップと、
上記サーバが、上記縁者の氏名と上記祝儀・不祝儀の額とを受付けるステップと、
上記サーバが、上記縁者より振込まれる祝儀・不祝儀を管理する受渡用の銀行口座から上記開催者の銀行口座に上記受付けた祝儀・不祝儀の額の振込を依頼するステップと、
上記サーバが、上記開催者に提供される上記縁者の氏名と上記開催者の銀行口座に振込まれた祝儀・不祝儀の額とを掲載した祝儀・不祝儀リストを作成するステップ、とからなることを特徴とする祝儀・不祝儀受渡仲介方法。
【請求項６】
縁者から冠婚葬祭の開催者への祝儀・不祝儀の受渡を仲介するために用いるリストであって、
上記縁者の氏名と、当該縁者から振込まれる祝儀・不祝儀を管理する上記開催者専用の受渡用の銀行口座から上記開催者の銀行口座に振込まれた祝儀・不祝儀の額、とが掲載され、
上記縁者の氏名を受付ける手段と、上記受渡用の銀行口座から上記開催者の銀行口座に振込みを依頼する手段、とを備えたサーバにより作成されて当該開催者に提供されることを特徴とする祝儀・不祝儀リスト。
【請求項７】
縁者から冠婚葬祭の開催者への祝儀・不祝儀の受渡を仲介するためにコンピュータを、
上記開催者の銀行口座の番号を受付ける手段、
上記縁者の氏名と上記祝儀・不祝儀の額とを受付ける手段、
上記縁者より振込まれる祝儀・不祝儀を管理する上記開催者専用の受渡用の銀行口座から上記開催者の銀行口座に上記受付けた祝儀・不祝儀の額の振込を依頼する手段、
上記開催者に提供される上記縁者の氏名と上記開催者の銀行口座に振込まれた祝儀・不祝儀の額とを掲載した祝儀・不祝儀リストを作成する手段、として機能させることを特徴とする祝儀・不祝儀受渡仲介プログラム。
【請求項８】
コンピュータプログラムを記録したコンピュータ読取可能な記録媒体であって、
上記コンピュータプログラムは、請求項７記載の祝儀・不祝儀受渡仲介プログラムであることを特徴とする祝儀・不祝儀受渡仲介プログラムを記録したコンピュータ読取可能な記録媒体。
【手続補正３】
【補正対象書類名】明細書
【補正対象項目名】０００６
【補正方法】変更
【補正の内容】
【０００６】
【課題を解決するための手段】
請求項１記載の発明は、縁者から冠婚葬祭の開催者への祝儀・不祝儀の受渡を仲介するために用いるサーバであって、開催者の銀行口座の番号を受付ける手段と、縁者の氏名と祝儀・不祝儀の額とを受付ける手段と、縁者からの祝儀・不祝儀が振込まれる開催者専用の受渡用の銀行口座から開催者の銀行口座に受付けた祝儀・不祝儀の額の振込を依頼する手段と、開催者に提供される縁者の氏名と開催者の銀行口座に振込まれた祝儀・不祝儀の額とを掲載した祝儀・不祝儀リストを作成する手段、とを有してなることを特徴とする。


【手続補正４】
【補正対象書類名】明細書
【補正対象項目名】０００７
【補正方法】変更
【補正の内容】
【０００７】
請求項２記載の発明は、請求項１記載の発明において、受渡用の銀行口座の開設を依頼する手段をさらに有することを特徴とする。


【手続補正５】
【補正対象書類名】明細書
【補正対象項目名】０００８
【補正方法】変更
【補正の内容】
【０００８】
請求項３記載の発明は、請求項１または２記載の発明において、受渡用の銀行口座に振込まれた縁者からの祝儀・不祝儀の額を確認する手段、をさらに有することを特徴とする。


【手続補正６】
【補正対象書類名】明細書
【補正対象項目名】０００９
【補正方法】変更
【補正の内容】
【０００９】
請求項４記載の発明は、請求項１乃至３のいずれかに記載の発明において、祝儀・不祝儀リストは、開催者が祝儀・不祝儀返しを希望する縁者を選択することができるように構成されたＷｅｂページであって、Ｗｅｂページで選択された縁者への祝儀・不祝儀返しの依頼を受付ける手段、をさらに有することを特徴とする。


【手続補正７】
【補正対象書類名】明細書
【補正対象項目名】００１０
【補正方法】変更
【補正の内容】
【００１０】
請求項５記載の発明は、サーバによる縁者から冠婚葬祭の開催者への祝儀・不祝儀の受渡を仲介する方法であって、サーバが、開催者の銀行口座の番号を受付けるステップと、サーバが、縁者の氏名と祝儀・不祝儀の額とを受付けるステップと、サーバが、縁者より振込まれる祝儀・不祝儀を管理する受渡用の銀行口座から開催者の銀行口座に受付けた祝儀・不祝儀の額の振込を依頼するステップと、サーバが、開催者に提供される縁者の氏名と開催者の銀行口座に振込まれた祝儀・不祝儀の額とを掲載した祝儀・不祝儀リストを作成するステップ、とからなることを特徴とする。


【手続補正８】
【補正対象書類名】明細書
【補正対象項目名】００１１
【補正方法】変更
【補正の内容】
【００１１】
請求項６記載の発明は、縁者から冠婚葬祭の開催者への祝儀・不祝儀の受渡を仲介するために用いるリストであって、縁者の氏名と、縁者から振込まれる祝儀・不祝儀を管理する開催者専用の受渡用の銀行口座から開催者の銀行口座に振込まれた祝儀・不祝儀の額、とが掲載され、縁者の氏名を受付ける手段と、受渡用の銀行口座から開催者の銀行口座に振込みを依頼する手段、とを備えたサーバにより作成されて開催者に提供されることを特徴とする。


【手続補正９】
【補正対象書類名】明細書
【補正対象項目名】００１２
【補正方法】変更
【補正の内容】
【００１２】
請求項７記載の発明は、縁者から冠婚葬祭の開催者への祝儀・不祝儀の受渡を仲介するためにコンピュータを、開催者の銀行口座の番号を受付ける手段、縁者の氏名と祝儀・不祝儀の額とを受付ける手段、縁者より振込まれる祝儀・不祝儀を管理する開催者専用の受渡用の銀行口座から開催者の銀行口座に受付けた祝儀・不祝儀の額の振込を依頼する手段、開催者に提供される縁者の氏名と開催者の銀行口座に振込まれた祝儀・不祝儀の額とを掲載した祝儀・不祝儀リストを作成する手段、として機能させることを特徴とする。


【手続補正１０】
【補正対象書類名】明細書
【補正対象項目名】００１４
【補正方法】変更
【補正の内容】
【００１４】
【発明の実施の形態】
以下、図面を参照しながら本発明にかかる祝儀・不祝儀受渡仲介方法（以下、「本方法」という）、祝儀・不祝儀受渡仲介サーバ（以下、「本サーバ」という）、祝儀・不祝儀リスト、祝儀・不祝儀受渡仲介プログラム（以下、「本プログラム」という）、本プログラムを記録したコンピュータ読取可能な記録媒体（以下、「本記録媒体」という）の実施の形態について説明する。